(57)【要約】【課題】回路面積を増やすことなく、広帯域の受信に対応できるハーモニックリジェクションミキサを提供すること。【解決手段】トランジスタ１〜５は、ＲＦ信号を電流に変換する。トランジスタ１５〜１９は、トランジスタ１〜５からの電流と局部発振信号とに基づいて周波数変換を行う。トランジスタ６〜１４は、トランジスタ１〜５からの電流を、予め定められた比に基づいて、トランジスタ１５〜１９全てまたはトランジスタ１６、１８に振り分ける。負荷２０は、トランジスタ１５〜１９からの電流を加算して電圧に変換する。【選択図】図１
2014165709.tif 000002
【特許請求の範囲】
【請求項１】
無線周波数信号を電流に変換する２Ｎ＋１個のゲイン素子と、前記ゲイン素子からの電流と局部発振信号とに基づいて周波数変換を行う２Ｎ＋１個のスイッチング素子と、前記スイッチング素子からの電流を加算して電圧に変換する加算器とを有するハーモニックリジェクションミキサであって、
前記ゲイン素子からの電流を、予め定められた比に基づいて、２Ｎ＋１個のスイッチング素子またはＮ個のスイッチング素子のいずれかに振り分ける切替スイッチを有する、
ハーモニックリジェクションミキサ。
【請求項２】
前記切替スイッチは、
トランジスタであり、２Ｎ＋１個以上備えられる、
請求項１記載のハーモニックリジェクションミキサ。
【請求項３】
前記ゲイン素子は、
トランジスタまたは抵抗である、
請求項１または２記載のハーモニックリジェクションミキサ。
【請求項４】
前記加算器は、
前記ゲイン素子がトランジスタである場合、負荷であり、
前記ゲイン素子が抵抗である場合、フィードバック付きオペアンプである、
請求項３記載のハーモニックリジェクションミキサ。
【請求項５】
前記予め定められた比は、
前記ゲイン素子がトランジスタである場合、前記切替スイッチのサイズの比であり、
前記ゲイン素子が抵抗である場合、前記抵抗の抵抗値の逆数の比である、
請求項３または４記載のハーモニックリジェクションミキサ。
【請求項６】
Ｎ＝２の場合、
前記ゲイン素子からの電流を５個のスイッチング素子に振り分けるとき、前記予め定められた比は略ｓｉｎ（３０°）：ｓｉｎ（６０°）：ｓｉｎ（９０°）：ｓｉｎ（１２０°）：ｓｉｎ（１５０°）であり、
前記ゲイン素子からの電流を２個のスイッチング素子に振り分けるとき、前記予め定められた比は略１：１であり、
Ｎ＝３の場合、
前記ゲイン素子からの電流を７個のスイッチング素子に振り分けるとき、前記予め定められた比は略ｓｉｎ（２２．５°）：ｓｉｎ（４５°）：ｓｉｎ（６７．５°）：ｓｉｎ（９０°）：ｓｉｎ（１１２．５°）：ｓｉｎ（１３５°）：ｓｉｎ（１５７．５°）であり、
前記ゲイン素子からの電流を３個のスイッチング素子に振り分けるとき、前記予め定められた比は略１：√２：１である、
請求項１から５のいずれか１項に記載のハーモニックリジェクションミキサ。
【発明の詳細な説明】
【技術分野】
【０００１】
本発明は、マルチバンドに対応するハーモニックリジェクションミキサに関する。
【背景技術】
【０００２】
無線信号受信システムにおいて、ミキサは、低雑音増幅器により増幅されたＲＦ（Radio Frequency：無線周波数）信号と、内蔵ＰＬＬ（Phase Locked Loop：位相同期ループ）等により生成されるＬＯ（Local Oscillator：局部発振器）信号とを掛け合わせる。これにより、ミキサは、ＲＦ信号をＩＦ（Intermediate Frequency：中間周波数）信号またはベースバンド信号へ周波数変換する。
【０００３】
ＬＯ信号は、矩形波として与えられる。しかし、矩形波には基本波成分ｆのみでなく、奇数次の高調波成分３ｆ、５ｆ、７ｆ、…も含まれる。そのため、ミキサの出力には、希望波ではないＲＦ信号も、希望波と同じ周波数帯に混入する。例えば、ダイレクトコンバージョンシステムでは、希望波ｆｄだけでなく、３ｆｄ、５ｆｄ、７ｆｄの成分も、希望波ｆｄと同じベースバンド信号として混入する。
【０００４】
高調波成分を抑圧するために、ハーモニックリジェクションミキサ（Harmonic Rejection Mixer：以下、ＨＲＭという）が使用される。ＨＲＭは、ＲＦ信号とＬＯ信号とをミキシングする複数のスイッチング素子と、各スイッチング素子の出力のゲインを決定するゲイン素子と、ゲイン素子の出力を加算する加算器とを有する。
【０００５】
ゲイン素子のゲインと対応するスイッチング素子に与えられるＬＯ信号の位相は、高調波成分を抑圧できるような特別な値に設定される。例えば、３相のＨＲＭは、３つのスイッチング素子を備える。そして、それぞれのスイッチング素子に接続されるゲイン素子のゲインは、１：√２：１の比に設定される。このとき、ＬＯ信号の位相は、０°、４５°、９０°というように４５°ずつずらして与えられる。そして、スイッチング素子の出力は、加算器で加算される。このようにすることで、３次と５次の高調波が抑圧される。
【０００６】
一般に、Ｎ＝１、２、３、４、…のとき、３〜（２Ｎ＋１）次の奇数次高調波の抑圧は、以下の通りとする。すなわち、（Ｎ＋１）相ＨＲＭにおいて、ゲインの比は、ｓｉｎ（１×１８０°／（Ｎ＋２））：ｓｉｎ（２×１８０°／（Ｎ＋２））：…：ｓｉｎ（（Ｎ＋１）×１８０°／（Ｎ＋２））とする。また、与えるＬＯ信号の位相差は、１８０°／（Ｎ＋２）にする。
【０００７】
Ｍ２Ｍ（Machine to Machine）分野において今後の普及が期待されているセンサ無線は、４００ＭＨｚ〜５．２ＧＨｚ内の複数の周波数帯の使用が見込まれる。そのため、ＨＲＭは、広帯域の受信に対応することが求められる。一方で、ＨＲＭは、相の数（以下、相数という）が増えるほど、また、受信する周波数が高くなるほど、高周波で多相のＬＯ信号を生成、駆動する必要があるため、消費電流が大きくなる。
【０００８】
このようなことから、ＨＲＭは、広帯域の受信に対応しようとすると、相数によっては消費電流に無駄が生じる、という課題がある。この課題について、４００ＭＨｚ〜５．２ＧＨｚの受信に対応する場合を例に説明する。すなわち、４００ＭＨｚの受信に対応するためには、１３次までの高調波を抑圧する必要がある。よって、ＨＲＭは、７相ＨＲＭで動作する。その一方で、１ＧＨｚの受信に対応するためには、５次までの高調波を抑圧すればよい。よって、ＨＲＭは、３相ＨＲＭで動作すれば十分である。つまり、ＨＲＭは、１ＧＨｚを受信した場合に７相ＨＲＭで動作すると、消費電流に無駄が生じる、という課題がある。
【０００９】
このような課題を解決する技術は、例えば非特許文献１に開示されている。非特許文献１の技術は、受信する周波数が高い場合、ＨＲＭの相数を減じることで、消費電流を抑えている。
【先行技術文献】
【非特許文献】
【００１０】
【非特許文献１】Aslam A Rafi et al.,"A Harmonic Rejection Mixer Robust to RF Device Mismatches", ISSCC DIGEST OF TECHNICAL PAPERS, pp.66-67, Feb. 2011.
【発明の概要】
【発明が解決しようとする課題】
【００１１】
しかしながら、非特許文献１の技術は、相数の異なるＨＲＭを別個に用意するため、回路面積が大きくなる、という課題がある。
【００１２】
本発明の目的は、回路面積を増やすことなく、広帯域の受信に対応できるハーモニックリジェクションミキサを提供することを目的とする。
【課題を解決するための手段】
【００１３】
本発明の一態様に係るハーモニックリジェクションミキサは、無線周波数信号を電流に変換する２Ｎ＋１個のゲイン素子と、前記ゲイン素子からの電流と局部発振信号とに基づいて周波数変換を行う２Ｎ＋１個のスイッチング素子と、前記スイッチング素子からの電流を加算して電圧に変換する加算器とを有するハーモニックリジェクションミキサであって、前記ゲイン素子からの電流を、予め定められた比に基づいて、２Ｎ＋１個のスイッチング素子またはＮ個のスイッチング素子のいずれかに振り分ける切替スイッチを有する構成を採る。
【発明の効果】
【００１４】
本発明は、回路面積を増やすことなく、広帯域の受信に対応できる。
【図面の簡単な説明】
【００１５】
【図１】本発明の実施の形態１に係るＨＲＭの構成図
【図２】本発明の実施の形態１に係るＨＲＭが５相ＨＲＭとして動作するときの構成図
【図３】本発明の実施の形態１に係るＨＲＭが２相ＨＲＭとして動作するときの構成図
【図４】本発明の実施の形態２に係るＨＲＭの構成図
【図５】本発明の実施の形態２に係るＨＲＭが５相ＨＲＭとして動作するときの構成図
【図６】本発明の実施の形態２に係るＨＲＭが２相ＨＲＭとして動作するときの構成図
【図７】本発明の実施の形態３に係るＨＲＭの構成図
【図８】本発明の実施の形態３に係るＨＲＭが７相ＨＲＭとして動作するときの構成図
【図９】本発明の実施の形態３に係るＨＲＭが３相ＨＲＭとして動作するときの構成図
【図１０】本発明の実施の形態４に係るＨＲＭの構成図
【図１１】本発明の実施の形態４に係るＨＲＭが７相ＨＲＭとして動作するときの構成図
【図１２】本発明の実施の形態４に係るＨＲＭが３相ＨＲＭとして動作するときの構成図
【発明を実施するための形態】
【００１６】
以下、本発明の実施の形態であるについて、図面を参照して説明する。
【００１７】
（実施の形態１）
本発明の実施の形態１について説明する。本実施の形態に係るＨＲＭは、５相と２相の切り替えが可能であり、ゲイン素子にトランジスタを用いた構成である。図１は、本実施の形態に係るＨＲＭの構成例を示す図である。
【００１８】
図１において、トランジスタ１〜５は、共通のゲートでＲＦ信号を受けて電流に変換するｇｍ素子である。よって、トランジスタ１〜５は、「ｇｍトランジスタ」ともいう。トランジスタ１〜５のサイズ比（ｍ）は、１０：１７：２０：１７：１０である。これにより、電流に変換する比は、１０：１７：２０：１７：１０となる。
【００１９】
トランジスタ６〜１４は、ゲートにバイアス電圧Ｖｂまたは電源電圧Ｖｄｄが与えられ、ｇｍ素子（トランジスタ１〜５）のカスコードトランジスタの役割を担う素子である。このカスコードトランジスタは、相数（ｇｍ電流の出力先）を切り替えるための切替スイッチとして使用される。よって、トランジスタ６〜１４は、「切替トランジスタ」ともいう。また、トランジスタ６〜１４は、ＬＯ信号がＲＦ入力端にリークすることを防ぐ役割も果たす素子である。トランジスタ６〜１４のサイズ比（ｍ）は、１０：１０：１７：１０：２０：１０：１７：１０：１０である。
【００２０】
トランジスタ１５〜１９は、３０°ずつ位相の異なるＬＯ信号を受けて、ｇｍ電流をスイッチングして周波数変換を行うスイッチング素子である。よって、トランジスタ１５〜１９は、「スイッチングトランジスタ」ともいう。ＬＯ信号は、ＬＯ＿０°、ＬＯ＿３０°、ＬＯ＿６０°、ＬＯ＿９０°、ＬＯ＿１２０°である。
【００２１】
負荷２０は、トランジスタ１５〜１９でスイッチングされたｇｍ電流を足し合わせて電圧に変換する加算器である。
【００２２】
このような本実施の形態ＨＲＭは、トランジスタ６〜１４を相数の切替スイッチとして用いることにより、５相と２相を切り替えることができる。よって、本実施の形態のＨＲＭは、図１に示す構成において、５相ＨＲＭとして動作することも、２相ＨＲＭとして動作することもできる。
【００２３】
図２は、ＨＲＭが５相ＨＲＭとして動作する場合（以下、５相動作時という）を示す図である。図２に示すように、トランジスタ６、８、１０、１２、１４は、それらのゲートにバイアス電圧Ｖｂが与えられる。また、トランジスタ７、９、１１、１３は、オフされる。また、ＬＯ信号は、５相全てがオンされる。
【００２４】
図３は、ＨＲＭが２相ＨＲＭとして動作する場合（以下、２相動作時という）を示す図である。図３に示すように、トランジスタ７、８、９、１１、１２、１３は、それらのゲートにバイアス電圧Ｖｂが与えられる。また、トランジスタ６、１０、１４は、オフされる。また、ＬＯ信号は、ＬＯ＿３０°、ＬＯ＿９０°がオンされ、ＬＯ＿０°、ＬＯ＿６０°、ＬＯ＿１２０°がオフされる。
【００２５】
上述した通り、トランジスタ９とトランジスタ１１のサイズ比は、１０：１０に設定されている。よって、２相動作時において、トランジスタ９およびトランジスタ１１は、トランジスタ３で発生したｇｍ電流を１０：１０の比に基づいて、ＬＯ＿３０°でスイッチングされるトランジスタ１６と、ＬＯ＿９０°でスイッチングされるトランジスタ１８とに振り分ける。
【００２６】
また、２相動作時において、トランジスタ７は、トランジスタ１で発生したｇｍ電流の全てを、ＬＯ＿３０°でスイッチングされるトランジスタ１６に振り分ける。
【００２７】
また、２相動作時において、トランジスタ１３は、トランジスタ５で発生したｇｍ電流の全てを、ＬＯ＿９０°でスイッチングされるトランジスタ１８に振り分ける。
【００２８】
このようにすることで、２相動作時のＬＯ＿３０°、ＬＯ＿９０°でスイッチングされるｇｍ電流の比は、１０＋１７＋１０：１０＋１７＋１０＝３７：３７となる。これは、１：１であるので、２相ＨＲＭとして動作するためのゲイン比となる。
【００２９】
以上のように、本実施の形態のＨＲＭによれば、相数の切替スイッチとして機能するトランジスタ６〜１４を備えることにより、回路面積をほとんど増加させずに、５相ＨＲＭと２相ＨＲＭとを切り替えての動作が可能となる。換言すれば、５相ＨＲＭを構成する場合の５つのカスコードトランジスタ（トランジスタ６、８、１０、１２、１４）に対して、４つのカスコードトランジスタ（トランジスタ７、９、１１、１３）を追加することで、２相ＨＲＭへの切り替えが可能となる。カスコードトランジスタの比率は、５相動作時が１０＋１７＋２０＋１７＋１０＝７４であるのに対して、２相動作時は１０＋１０＋１０＋１０＝４０であることから、カスコードトランジスタを１．５倍程度にするだけで、５相ＨＲＭと２相ＨＲＭの両方を実現できることになる。すなわち、本実施の形態のＨＲＭは、回路面積を増やすことなく、広帯域の受信に対応できる。
【００３０】
（実施の形態２）
本発明の実施の形態２について説明する。本実施の形態に係るＨＲＭは、５相と２相の切り替えが可能であり、ゲイン素子に抵抗を用いた構成である。図４は、本実施の形態に係るＨＲＭの構成例を示す図である。
【００３１】
図４において、抵抗２１〜２５は、ＲＦ信号を受けて電流に変換する素子である。抵抗１〜２５の抵抗値の比は、１／１０：１／１７：１／２０：１／１７：１／１０である。これにより、電流に変換する比は、１０：１７：２０：１７：１０となる。なお、抵抗値の比、１／１０：１／１７：１／２０：１／１７：１／１０は、抵抗値Ｒをもつ単位抵抗を、１０個並列接続、１７個並列接続、２０個並列接続、１７個並列接続、１０個並列接続することで実現される。
【００３２】
トランジスタ２６〜３０は、３０°ずつ位相の異なるＬＯ信号を受けて周波数変換を行うスイッチング素子である。ＬＯ信号は、ＬＯ＿０°、ＬＯ＿３０°、ＬＯ＿６０°、ＬＯ＿９０°、ＬＯ＿１２０°である。
【００３３】
トランジスタ３２〜３７は、ゲートにバイアス電圧Ｖｂまたは電源電圧Ｖｓｓが与えられる。トランジスタ３２〜３７は、相数の切替スイッチとして機能する。
【００３４】
フィードバック付きオペアンプ３１は、トランジスタ２６〜３０でスイッチングされた電流を足し合わせて電圧に変換する加算器である。
【００３５】
このような本実施の形態ＨＲＭは、トランジスタ３２〜３７を相数の切替スイッチとして用いることにより、５相と２相を切り替えることができる。よって、本実施の形態のＨＲＭは、図４に示す構成において、５相ＨＲＭとして動作することも、２相ＨＲＭとして動作することもできる。
【００３６】
図５は、５相動作時を示す図である。図５に示すように、トランジスタ３２〜３７のうち、トランジスタ３４、３５はオンされ、トランジスタ３２、３３、３６、３７はオフされる。また、ＬＯ信号は、５相全てが与えられる。
【００３７】
図６は、２相動作時を示す図である。図６に示すように、トランジスタ３２〜３７のうち、トランジスタ３４、３５はオフされ、トランジスタ３２、３３、３６、３７はオンされる。また、ＬＯ信号は、ＬＯ＿３０°、ＬＯ＿９０°がオンされ、ＬＯ＿０°、ＬＯ＿６０°、ＬＯ＿１２０°がオフされる。
【００３８】
このようにすることで、２相ＨＲＭ時のＬＯ＿３０°、ＬＯ＿９０°でスイッチングされる電流の比は、１０＋１７＋１０：１０＋１７＋１０＝３７：３７となる。これは、１：１であるので、２相ＨＲＭとして動作するためのゲイン比となる。
【００３９】
以上のように、本実施の形態のＨＲＭによれば、相数の切替スイッチとして機能するトランジスタ３２〜３７を備えることにより、回路面積をほとんど増加させずに、５相ＨＲＭと２相ＨＲＭとを切り替えての動作が可能となる。すなわち、本実施の形態のＨＲＭは、回路面積を増やすことなく、広帯域の受信に対応できる。
【００４０】
（実施の形態３）
本発明の実施の形態３について説明する。本実施の形態に係るＨＲＭは、７相と３相の切り替えが可能であり、ゲイン素子にトランジスタを用いた構成である。図７は、本実施の形態に係るＨＲＭの構成例を示す図である。
【００４１】
図７において、トランジスタ３８〜４４は、共通のゲートでＲＦ信号を受けて電流に変換するｇｍ素子である。トランジスタ３８〜４４のサイズ比（ｍ）は、５：９：１２：１３：１２：９：５である。これにより、電流に変換する比は、５：９：１２：１３：１２：９：５となる。
【００４２】
トランジスタ４５〜５７は、ゲートにバイアス電圧Ｖｂまたは電源電圧Ｖｄｄが与えられ、ｇｍ素子（トランジスタ３８〜４４）のカスコードトランジスタの役割を担う素子である。このカスコードトランジスタは、相数を切り替えるための切替スイッチとして使用される。また、トランジスタ４５〜５７は、ＬＯ信号がＲＦ入力端にリークするのを防ぐ役割も果たす素子である。トランジスタ４５〜５７のサイズ比は、５：５：９：５：１２：７：１３：７：１２：５：９：５：５である。
【００４３】
トランジスタ５８〜６４は、２２．５°ずつ位相の異なるＬＯ信号を受けて、ｇｍ電流をスイッチングして周波数変換を行うスイッチング素子である。ＬＯ信号は、ＬＯ＿０°、ＬＯ＿２２．５°、ＬＯ＿４５°、ＬＯ＿６７．５°、ＬＯ＿９０°、ＬＯ＿１１２．５°、ＬＯ＿１３５°である。
【００４４】
負荷６５は、トランジスタ５８〜６４でスイッチングされたｇｍ電流を足し合わせて電圧に変換する加算器である。
【００４５】
このような本実施の形態ＨＲＭは、トランジスタ４５〜５７を相数の切替スイッチとして用いることにより、７相と３相を切り替えることができる。よって、本実施の形態のＨＲＭは、図７に示す構成において、７相ＨＲＭとして動作することも、３相ＨＲＭとして動作することもできる。
【００４６】
図８は、ＨＲＭが７相ＨＲＭとして動作する場合（以下、７相動作時という）を示す図である。図８に示すように、トランジスタ４５、４７、４９、５１、５３、５５、５７は、それらのゲートにバイアス電圧Ｖｂが与えられる。また、トランジスタ４６、４８、５０、５２、５４、５６はオフされる。また、ＬＯ信号は、７相全てがオンされる。
【００４７】
図９は、ＨＲＭが３相ＨＲＭとして動作する場合（以下、３相動作時という）を示す図である。図９に示すように、トランジスタ４６、４７、４８、５０、５１、５２、５４、５５、５６は、それらのゲートにバイアス電圧Ｖｂが与えられる。また、トランジスタ４５、４９、５３、５７は、オフされる。また、ＬＯ信号は、ＬＯ＿２２．５°、ＬＯ＿６７．５°、ＬＯ＿１１２．５°がオンされ、ＬＯ＿０°、ＬＯ＿４５°、ＬＯ＿９０°、ＬＯ＿１３５°がオフされる。
【００４８】
上述した通り、トランジスタ４８とトランジスタ５０のサイズ比は、５：７に設定されている。よって、３相動作時において、トランジスタ４８およびトランジスタ５０は、トランジスタ４０で発生したｇｍ電流を５：７の比に基づいて、ＬＯ＿２２．５°でスイッチングされるトランジスタ５９と、ＬＯ＿６７．５°でスイッチングされるトランジスタ６１とに振り分ける。
【００４９】
また、上述した通り、トランジスタ５４とトランジスタ５２のサイズ比は、５：７に設定されている。よって、３相動作時において、トランジスタ５４およびトランジスタ５２は、トランジスタ４２で発生したｇｍ電流を５：７の比に基づいて、ＬＯ＿１１２．５°でスイッチングされるトランジスタ６３と、ＬＯ＿６７．５°でスイッチングされるトランジスタ６１とに振り分ける。
【００５０】
また、３相動作時において、トランジスタ４６は、トランジスタ３８で発生したｇｍ電流の全てを、ＬＯ＿２２．５°でスイッチングされるトランジスタ５９に振り分ける。
【００５１】
また、３相動作時において、トランジスタ５６は、トランジスタ４４で発生したｇｍ電流の全てを、ＬＯ＿１１２．５°でスイッチングされるトランジスタ６３に振り分ける。
【００５２】
このようにすることで、３相動作時のＬＯ＿２２．５°、ＬＯ＿６７．５°、ＬＯ＿１１２．５°でスイッチングされるｇｍ電流の比は、５＋９＋５：７＋１３＋７：５＋９＋５＝１９：２７：１９となる。これは、ほぼ１：√２：１であるので、３相ＨＲＭとして動作するためのゲイン比となる。
【００５３】
以上のように、本実施の形態のＨＲＭによれば、相数の切替スイッチとして機能するトランジスタ４５〜５７を備えることにより、回路面積をほとんど増加させずに、７相ＨＲＭと３相ＨＲＭとを切り替えての動作が可能となる。換言すれば、７相ＨＲＭを構成する場合の７つのカスコードトランジスタ（トランジスタ４５、４７、４９、５１、５３、５５、５７）に対して、６つのカスコードトランジスタ（トランジスタ４６、４８、５０、５２、５４、５６）を追加することで、３相ＨＲＭへの切り替えが可能となる。カスコードトランジスタの比率は、７相動作時が５＋９＋１２＋１３＋１２＋９＋５＝６５であるのに対して、３相動作時は５＋５＋７＋７＋５＋５＝３４であることから、カスコードトランジスタを１．５倍程度にするだけで、７相ＨＲＭと３相ＨＲＭの両方を実現できることになる。すなわち、本実施の形態のＨＲＭは、回路面積を増やすことなく、広帯域の受信に対応できる。
【００５４】
（実施の形態４）
本発明の実施の形態４について説明する。本実施の形態に係るＨＲＭは、７相と３相の切り替えが可能であり、ゲイン素子に抵抗を用いた構成である。図１０は、本実施の形態に係るＨＲＭの構成例を示す図である。
【００５５】
図１０において、抵抗６６〜７２は、ＲＦ信号を受けて電流に変換する素子である。抵抗６６〜７２の抵抗値の比は、１／５：１／９：１／１２：１／１３：１／１２：１／９：１／５である。これにより、電流に変換する比は、５：９：１２：１３：１２：９：５となる。なお、抵抗値の比、１／５：１／９：１／１２：１／１３：１／１２：１／９：１／５は、抵抗値Ｒをもつ単位抵抗を、５個並列接続、９個並列接続、１２個並列接続、１３個並列接続、１２個並列接続、９個並列接続、５個並列接続することで実現される。
【００５６】
トランジスタ７３〜７９は、２２．５°ずつ位相の異なるＬＯ信号を受けて周波数変換を行うスイッチング素子である。ＬＯ信号は、ＬＯ＿０°、ＬＯ＿２２．５°、ＬＯ＿４５°、ＬＯ＿６７．５°、ＬＯ＿９０°、ＬＯ＿１１２．５°、ＬＯ＿１３５°である。
【００５７】
トランジスタ８１〜８８は、ゲートにバイアス電圧Ｖｂまたは電源電圧Ｖｓｓが与えられる。トランジスタ８１〜８８は、相数の切替スイッチとして機能する。
【００５８】
フィードバック付きオペアンプ８０は、トランジスタ７３〜７９でスイッチングされた電流を足し合わせて電圧に変換する加算器である。
【００５９】
このような本実施の形態ＨＲＭは、トランジスタ８１〜８８を相数の切替スイッチとして用いることにより、７相と３相を切り替えることができる。よって、本実施の形態のＨＲＭは、図１０に示す構成において、７相ＨＲＭとして動作することも、３相ＨＲＭとして動作することもできる。
【００６０】
図１１は、７相動作時を示す図である。図１１に示すように、トランジスタ８１〜８８のうち、トランジスタ８３、８６はオンされ、トランジスタ８１、８２、８４、８５、８７、８８はオフされる。また、ＬＯ信号は、７相全てが与えられる。
【００６１】
図１２は、３相動作時を示す図である。図１２に示すように、トランジスタ８１〜８８のうち、トランジスタ８１、８２、８４、８５、８７、８８はオンされ、トランジスタ８３、８６はオフされる。また、ＬＯ信号は、ＬＯ＿２２．５°、ＬＯ＿６７．５°、ＬＯ＿１１２．５°がオンされ、ＬＯ＿０°、ＬＯ＿４５°、ＬＯ＿９０°、ＬＯ＿１３５°はオフされる。
【００６２】
このようにすることで、３相ＨＲＭ時のＬＯ＿２２．５°、ＬＯ＿６７．５°、ＬＯ＿１１２．５°でスイッチングされる電流の比は、５＋９＋５：７＋１３＋７：５＋９＋５＝１９：２７：１９となる。これは、ほぼ１：√２：１であるので、３相ＨＲＭとして動作するためのゲイン比となる。
【００６３】
以上のように、本実施の形態のＨＲＭによれば、相数の切替スイッチとして機能するトランジスタ８１〜８８を備えることにより、回路面積をほとんど増加させずに、７相ＨＲＭと３相ＨＲＭとを切り替えての動作が可能となる。すなわち、本実施の形態のＨＲＭは、回路面積を増やすことなく、広帯域の受信に対応できる。
【００６４】
以上、本発明の実施の形態について説明したが、上記説明は一例であり、種々の変形が可能である。
【産業上の利用可能性】
【００６５】
本発明は、広帯域で動作するハーモニックリジェクションミキサの構成を切り替える技術全般に適用でき、センサ無線などの複数の周波数バンドで動作するシステムにおいて有効である。
【符号の説明】
【００６６】
１、２、３、４、５  ｇｍトランジスタ
６、７、８、９、１０、１１、１２、１３、１４  切替トランジスタ
１５、１６、１７、１８、１９  スイッチングトランジスタ
２０  負荷
２１、２２、２３、２４、２５  抵抗
２６、２７、２８、２９、３０  スイッチングトランジスタ
３１  フィードバック付きオペアンプ
３２、３３、３４、３５、３６、３７  切替トランジスタ
３８、３９、４０、４１、４２、４３、４４  ｇｍトランジスタ
４５、４６、４７、４８、４９、５０、５１、５２、５３、５４、５５、５６、５７  切替トランジスタ
５８、５９、６０、６１、６２、６３、６４  スイッチングトランジスタ
６５  負荷
６６、６７、６８、６９、７０、７１、７２  抵抗
７３、７４、７５、７６、７７、７８、７９  スイッチングトランジスタ
８０  フィードバック付きオペアンプ
８１、８２、８３、８４、８５、８６、８７、８８  切替トランジスタ
【図１】
2014165709.tif 000003
【図２】
2014165709.tif 000004
【図３】
2014165709.tif 000005
【図４】
2014165709.tif 000006
【図５】
2014165709.tif 000007
【図６】
2014165709.tif 000008
【図７】
2014165709.tif 000009
【図８】
2014165709.tif 000010
【図９】
2014165709.tif 000011
【図１０】
2014165709.tif 000012
【図１１】
2014165709.tif 000013
【図１２】
2014165709.tif 000014